(57)【要約】複数の商品（２）を包装する装置（１）とその包装方法であって、複数の商品（２）は、各々の包装用シート（３）に適用され、上記商品（２）の周りを包装材であるシート（３）により覆い、筒状の包み（７）を形成するように包装コンベヤ（４）により第１通路（Ｐ１）に沿って運ばれ、その後、筒状の包みを閉じて固定させるために、包装コンベヤ（４）により第２通路（Ｐ２）に沿って運ばれ、シール要素（１１）は、第２通路（Ｐ２）に並走する第３通路（Ｐ４）に沿って、商品と調子を合わせて、別のコンベヤ（１２）により搬送され、筒状の包み（７）に適用され、当該筒状の包み（７）の重ね合わされた部分（８）をシールする。
2004520235.tif 000002
【特許請求の範囲】
【請求項１】
商品（２）を連続して搬送する第１コンベヤ（４）で
あって、上記商品（２）に包装材である各シート（３）を適用し、第１通路（Ｐ１）に沿って商品（２）の周りを包装材のシート（３）で覆って包み（７）を形成すると共に、上記商品（２）を第１通路（Ｐ１）に続いて第２通路Ｐ２に搬送する第１コンベヤ（４）と、上記第２通路（Ｐ２）に沿って包み（７）に適用され、シールすることにより包み（７）を固定する各シール手段（１０）とを含む商品（２）の商品包装装置（１）であって、
上記第２通路（Ｐ２）に並走する通路（Ｐ３）に沿って、上記商品（２）に調子を合わせて、上記シール手段（１０）を搬送する第２コンベヤ（１２）を備えたことを特徴とする商品包装装置。
【請求項２】
上記第１コンベヤ（４）は、包装材のシート（３）と、関係する商品（２）とを、それぞれ収容する複数の台座（６）を周囲に含み、各台座（６）には、それぞれシール手段（１０）が結合されている請求項１に記載の商品包装装置。
【請求項３】
第１、第２及び第３通路（Ｐ１，Ｐ２，Ｐ３）は、曲がっている通路である請求項１又は請求項２に記載の商品包装装置。
【請求項４】
上記第１コンベヤ（４）は、包装ホィール（４）であり、かつ、上記第１、第２及び第３通路（Ｐ１、Ｐ２、Ｐ３）は、ある円の同軸の弧により特定されるものである請求項１乃至請求項３の何れかに記載の商品包装装置。
【請求項５】
上記包み（７）は、筒状の包みである請求項１乃至請求項４の何れかに記載の商品包装装置。
【請求項６】
上記シール手段（１０）は、複数のシールヘッド（１１）を備える請求項１乃至請求項５の何れかに記載の商品包装装置。
【請求項７】
上記第２ベルトコンベヤ（１２）は、ベルトコンベヤ（１２）であり、上記シール手段（１０）を支持している循環ベルト（１３）を含み、上記第２ベルトコンベヤ（１２）は、上記第３通路（Ｐ３）に沿って上記ベルト（１３）を搬送するためのガイド手段（１５）を含む請求項１乃至請求項６の何れかに記載の商品包装装置。
【請求項８】
上記ガイド手段（１５）は、第３通路（Ｐ３）と同じ外形を描いた軌道（１９）と、上記ベルト（１３）を上記軌道（１９）に接続する接続手段（２０）とを備える請求項７に記載の商品包装装置。
【請求項９】
上記軌道（１９）は、上記ベルト（１３）の全通路（Ｐ４）に渡ってのびている請求項８に記載の商品包装装置。
【請求項１０】
上記軌道（１９）は、上記ベルト（１３）の両側に位置する２枚の平板（２２）の内側に形成されている溝（２１）により特定される請求項８又は請求項９に記載の商品包装装置。
【請求項１１】
上記接続手段（２０）は、上記溝（２１）の内側を走り、上記ベルト（１３）に連結された複数の搬送台（２３）を含む請求項１０に記載の商品包装装置。
【請求項１２】
上記搬送台（２３）の各々は、上記ベルト（１３）に連結されたシャフト（２６）と、上記シャフト（２６）に空回りするように取り付けられた２つの端部ホィール（２７）とを含む請求項１１に記載の商品包装装置。
【請求項１３】
上記ベルト（１３）は、上記シール手段（１０）を固定する表面（１４）と、上記シャフト（２６）を支持する付属部品（２４）が突出している内面（２５）とを含む請求項１２に記載の商品包装装置。
【請求項１４】
上記シールヘッド（１１）は、比較的温度変化に影響されず、比較的高い電気抵抗の加熱抵抗器を含む請求項６乃至請求項１３の何れかに記載の商品包装装置。
【請求項１５】
上記加熱抵抗器は、閉回路（４１）を形成するように接続されており、時間変化する磁界を生成する手段（４２）が上記閉回路（４１）に電磁的に接続されている請求項１４に記載の商品包装装置。
【請求項１６】
上記加熱抵抗器の各々が第３通路（Ｐ３）の実際の長さを調節するため、短絡することができる請求項１４又は請求項１５に記載の商品包装装置。
【請求項１７】
上記シールヘッド（１１）の各々は、２つの点で上記ベルト（１３）に蝶番式に取り付けられているそれぞれのフレーム（２８）により上記ベルト（１３）に接続されている請求項６乃至請求項１６の何れかに記載の商品包装装置。
【請求項１８】
上記フレーム（２８）は、上記ベルト（１３）に直接、蝶番式に取り付けられた第１端部と、接続棒（３４）の内側を介してベルト（１３）に取り付けられた第２端部とを備える請求項１７に記載の商品包装装置。
【請求項１９】
上記シールヘッド（１１）の各々は、フレーム（２８）に関連して、弾性手段（３５）の反対側の端において動作位置から休止位置へと移動するように、それぞれのフレーム（２８）に接続されている請求項１７又は請求項１８に記載の商品包装装置。
【請求項２０】
上記シールヘッド（１１）の各々は、各フレーム（２８）に著番式に取り付けられており、上記弾性手段（３５）の反対側の端において上記シールヘッド（１１）を動作位置から休止位置へと移動するリターン手段（３１）を備える請求項１９に記載の商品包装装置。
【請求項２１】
上記リターン手段（３１）は、上記シールヘッド（１１）に連結され、第３通路（Ｐ３）に沿ってシールヘッド（１１）を動かす強磁性体の電機子（３７）と、上記第３通路（Ｐ３）に沿って分割された電磁石（４０）とを含む請求項２０に記載の商品包装装置。
【請求項２２】
上記シールヘッド（１１）の各々は、フレーム（２８）に関連して、弾性手段（３５）の反対側の端において休止位置から動作位置へと移動するように、各フレーム（２８）に接続されている請求項１７又は請求項１８に記載の商品包装装置。
【請求項２３】
上記シールヘッド（１１）の各々は、各フレーム（２８）に蝶番式に取り付けられており、上記弾性手段（３５）の反対側の端において上記シールヘッド（１１）を休止位置から動作位置へと移動するリターン手段（３１）を備える請求項２２に記載の商品包装装置。
【請求項２４】
商品（２）を包む商品包装装置（１）であって、上記商品包装装置（１）は、包装材の各シート（３）が適用された商品（２）により特定される包み（７）を、曲がった通路（Ｐ２）に沿って搬送する第１コンベヤ（４）と、上記包み（７）をシールして固定するシール手段（１０）を含み、上記曲がった通路（Ｐ２）に並走する別の曲がった通路（Ｐ３）に沿って、上記商品（２）に調子を合わせて、上記シール手段（１０）を搬送し、上記包み（７）に上記シール手段（１０）を適用する第２コンベヤ（１２）とを含むことを特徴とする商品包装装置。
【請求項２５】
商品（２）に包装材のシート（３）を適用し、包装コンベヤ（４）により第１通路（Ｐ１）に沿って商品（２）と包装材であるシート（３）を搬送し、商品（２）の周りを包装材のシート（３）で覆って包み（７）を形成し、包装コンベヤ（４）により、第２通路（Ｐ２）に沿って包み（７）を搬送して固定する方法であり、当該方法は、第２コンベヤ（１２）により、上記第２通路（Ｐ２）に並走する第３通路（Ｐ３）に沿って、上記商品（２）に調子を合わせて、上記シール手段（１０）を搬送し、上記シール手段（１０）を上記包み（７）に適用して固定することを特徴とする商品（２）を包装する方法。
【請求項２６】
上記シール手段（１０）を包み（７）に適用する時間は、第２通路（Ｐ２）に沿う包み（７）の移動速度の変化と共に、第３通路（Ｐ３）の実際の長さの変化毎に、特定の値を保持する請求項２５に記載の方法。
【発明の詳細な説明】
【技術分野】
【０００１】
本発明は、商品包装装置に関する。
【０００２】
特に、本発明は、以下に例示するように、１束のタバコを透明なヒートシール材で包装する連続セロハン装置に関する。
【背景技術】
【０００３】
現在、市販されている連続セロハン装置には、以下の特許文献１により開示されているタイプのものがある。上記装置は、通常、複数の台座を有する包装ホィールを備える。上記台座の各々において、１束のタバコの各々がそれぞれの包装用シートに適用される。上記包装用のシートは、筒状の包みを形成するように、上記１束のタバコの周りを覆う。上記筒状の包みは、後に、ヒートシールにより封止される。上記筒状の包みをヒートシールするため、包装ホィール上の台座の各々において、当該包装ホィールに適合し、かつ、休止位置と動作位置の間で移動可能なシールヘッドを設けることが提案されている。ここで、上記動作位置とは、シールヘッドが各筒状の包みに接触している位置をいう。
【特許文献１】欧州特許EP-972704-A1
【０００４】
上述した包装ホィールは、比較的複雑で、高価で、重かった。というのは、多数のシールヘッドとそれぞれの作動装置が上記包装ホィールに内蔵されていたためである。
【０００５】
上記課題を解決するため、ヒートシール処理を包装ホィールの下流においてシールコンベヤに沿って実行することが提案されている。しかし上記解法は、包装ホィールの構成を簡単にするが、セロハン装置全体のサイズ及び費用を増加する。更に、包装ホィールからコンベヤへと固定されていない筒状の包みを搬送することは、包装材を保持しているシートが元の形状に戻ろうとすることにより面倒なことになる。
【０００６】
本発明の目的は、商品を包装する機械であって、上記課題を解決すると共に、安価で容易に製造することができるものを提供することである。
【０００７】
本発明によれば、請求項１に記載した機械が提供される。
また、本発明は、商品を包装する方法に関する。
本発明によれば、請求項２５に記載の方法が提供される。
【発明を実施するための最良の形態】
【０００８】
図１の参照番号１は、タバコの束２を、ヒートシール包装材、特にポリプロピレンやその類のシート３により包む装置全体を示すものである。商品包装装置１は、包装ホィール４を備える。包装ホィール４は、図１に垂直な方向にのびる水平軸５を中心に連続して回転しており、かつ、周囲に多数の台座６を備える。各台座６は、入力位置Ｓ１で、タバコの束２及び包装材であるシート３を収容し、当該タバコの束２及び包装材であるシート３を、包装通路Ｐ１、そして、次に続く固定通路Ｐ２に沿って、出力位置Ｓ２へと搬送する。
【０００９】
包装通路Ｐ１に沿って、包装材のシート３は、包装材のシート３の２つの端部８を重ね合わせることにより、筒状の包み７を形成するように、周知の方法によりタバコの束２の周りを覆う。固定通路Ｐ２に沿って、各筒状の包み７は、上記重ね合わせた２つの端部８を互いにヒートシールすることにより固定される。ヒートシール処理が終了すると、各包み７は、出力位置Ｓ２に達し、ここで、図示しない周知の荷降ろし装置により台座６から取り出される。
【００１０】
商品包装装置１は、また、シール装置９を備える。上記シール装置９は、複数のシール部材１０を含み、シール部材１０の各々は、電熱線（図示せず）により過熱され、かつ、重ね合わせた端部８をヒートシールするための時間だけ筒状の包み７に適用されるシールヘッド１１を備えている。シール装置９は、また、表面にシールヘッド１１を支持する循環可撓性ベルト１３を有するベルトコンベヤ１２を備える。好ましい実施の形態では、シール部材１０の数は、周囲の台座６の数に等しい。これにより、各周囲の台座６は、常に同じシール部材１０により処理されることになり、包装装置１との調整及び設定が簡単化される。
【００１１】
シール部材１０の各々は、各包み７に調子を合わせながら、固定通路Ｐ２と並走する通路Ｐ３に沿って、ベルト１３により搬送される。これにより、各シールヘッド１１は、各包み７に予定時間だけ適用され、筒状の包み７をヒートシールすることができる。特に、通路Ｐ３は、循環通路Ｐ４を形成し、シールヘッド１１は、連続動作するベルト１３によって、循環するように当該循環通路Ｐ４に沿って搬送される。
【００１２】
図１に明確に示すように、通路Ｐ１、Ｐ２及びＰ３は、共通の軸５を中心とする円の実質的な弧に該当する。
【００１３】
コンベヤ１２は、また、循環通路Ｐ４に沿って、特にカーブした部分Ｐ３に沿って、ベルト１３を搬送するためのガイド装置１５を備える。ガイド装置１５は、３つの端部に、それぞれ軸５に平行で、周囲にベルト１３が巻きついた滑車１６，１７及び１８を備える。滑車１６及び１７は、通路Ｐ３の両端部に設けられている。滑車１８は、滑車１６及び滑車１７の間に位置し、滑車１６及び滑車１７と共に、二等辺三角形の頂点を定める。好ましい実施形態では、滑車１７が駆動される車であり、滑車１６及び滑車１８は、空回りする車である。滑車１７の回転速度は、通路Ｐ３に沿うシールヘッド１１の表面上の速度と、通路Ｐ２に沿う台座６の表面速度が等しくなるような値である。
【００１４】
ガイド装置１５は、また、通路Ｐ４と同じ外形を描いた軌道１９と、ベルト１３を上記軌道１９に接続するための接続装置２０とを含む。図示していない他の実施形態では、軌道１９は、通路Ｐ３に沿ってのみのびている。上記軌道１９は、２枚の平行に設けた平板２２の内側に設けた２つの実質的に向き合う溝２１により特定される。上記２つの平板２２は、軸５に対して垂直であり、ベルト１３の両側に設けられる。
【００１５】
接続装置２０は、複数の搬送台２３を含む。上記搬送台２３の各々は、ベルト１３の内壁２５に固定されている各付属部品２４によって支持され、両方の溝２１に噛み合わされており、各付属部品２４に一体化されたシャフト軸２６を備える。上記シャフト軸２６は、両端部に、溝２１に沿って空回りする２個のホィール２７を支持している。
【００１６】
各平板２２は、実質的に矩形であり、包装ホィール４との干渉を避けるため、端部に半円状の凹部を有している。
【００１７】
図５に示す実施の形態において、ガイド装置１５は、それぞれ軸５に平行な軸を持ち、周りにベルト１３が巻きついている端部の滑車１６及び１７だけで構成されている。各シールヘッド１１は、それぞれ、中央の平板２９を含む、実質的にＺ字状のフレーム２８に固定されている。上記中央の平板２９は、一方の端部において、ベルト１３に対向し、滑車１６及び１７の軸に平行な横向きの蝶番３１によりベルト１３に接続されている側部付属部品３０を有すると共に、他方の端部において、ベルト１３の外側表面に面し、上記蝶番３１に平行な蝶番３３により各シールヘッド１１を支持する側部付属部品３２を有する。上記側部付属部品３２では、支持フレーム２８は、フレーム２８がベルト１３の曲率変化に適応できるように、接続棒３４によりベルト１３に接続されている。
【００１８】
各シールヘッド１１は、それぞれのフレーム２８の平板２９に実質的に面しており、シールヘッド１１が、通路Ｐ２に沿って動く各包み７に、接する作動位置（図５を参照）と、シールヘッド１１が、通路Ｐ２に沿って動く各包み７に、接していない休止位置との間で、蝶番３３を軸に振動する。蝶番３３に関する各シールヘッド１１の角位置は、以下の通り制御されている。即ち、一方の端において、シールヘッド１１と関係するフレーム２８の間に設けてある弾性体の推力を利用したシステム３５により、シールヘッド１１が動作位置を維持するように制御され、かつ、他方の端において、リターン装置３６により、シールヘッド１１を平板２９の方向に移動して、休止位置となるように制御されている。
【００１９】
リターン装置３６は、強磁性体の材料である電機子３７を含む。当該電機子３７は、関係するシールヘッド１１の一端に蝶番式に取り付けられており、関係する平板２９及びベルト１３を貫通する２個のスルーホール３８及び３９に、スライド移動可能な状態で嵌め込まれている。ベルト１３の内部へと突き刺さっている各電機子３７の部分は、当該電機子３７が通路Ｐ３に沿って移動する際、平板２２により搬送され、複数のシールヘッド２２を各包み７から引き離すために用意された電磁石４０の列によって生成された磁界に干渉する。
【００２０】
実際の使用時、シールヘッド１１が各包み７に押し付けられている時間は、通路Ｐ２に沿う包み７の移動速度、即ち、包装ホィール４の回転速度が一定の場合において、電磁石４０による通路Ｐ３の事実上の長さの変更に伴い、特定の値に維持される。上記電磁石４０は、シールヘッド１１が包み７に押し付けられる通路Ｐ３の長さを調節するために設けられているものである。
【００２１】
シールヘッド１１は、比較的温度変化に影響されず、比較的高い電気抵抗の材料で形成され、かつ、１個の閉回路４１を形成するように、電線（図示しない）により互いに直列に接続されている。上記閉回路４１に磁気的に接続された周知の電源４２（略記する）による磁界の変化により誘起される交流電流が、上記閉回路４１に流れる。磁界を変化させることによる交流電流の強度及び／又は周波数の調節は、閉回路４１に流れる電流の強度を調整し、これにより、シールヘッド１１の動作温度を調整する。
【００２２】
図示しない変形例において、弾性システム３５及びリターン装置３６の機能は、逆転される。即ち、弾性システム３５は、休止位置にシールヘッド１１を保持し、リターン装置３６は、シートヘッド１１を動作位置に移動する。
【００２３】
この場合において、通路Ｐ３の実際の長さは、電磁石４０により調整されるが、この場合には、シールヘッド１１を休止位置から動作位置へと戻す斥力を作用させることになる。
【００２４】
最後に、図示していない他の変形例では、リターン装置３６が省略され、通路Ｐ３の実際の長さは、各シールヘッド１１毎に、制御された方法によりシールヘッド１１の２つの端部を短絡することによって調整される。
【００２５】
この場合において、各シールヘッド１１が活性状態で対応する包み７に適用されている期間は、包装ホィール４の回転速度の変化に伴い、シールヘッド１１を包み７から離さずシールヘッド１１を非活性化することで特定の値を保持することができる。
【図面の簡単な説明】
【００２６】
【図１】本発明の好ましい実施形態の商品包装装置の正面図である。
【図２】図１の一部拡大図である。
【図３】図２のIII−III線に沿った断面図である。
【図４】図１の装置の一部拡大図である。
【図５】図１の装置の変形例の一部拡大図である。
【符号の説明】
【００２７】
１  商品包装装置、２  タバコの束、３  シート、４  包装ホィール、６  台座、７  包み、９  シート装置、１１  シールヘッド、１３  ベルト、１９  外形軌道、２３  搬送台、２８  フレーム、３５  弾性的推力システム、３６  リターン装置、３７  電機子、４０  電磁石、４１  閉回路、Ｐ１，Ｐ２，Ｐ３，Ｐ４  通路。
【国際公開パンフレット】
2004520235.tif 000003
2004520235.tif 000004
2004520235.tif 000005
2004520235.tif 000006
2004520235.tif 000007
2004520235.tif 000008
2004520235.tif 000009
2004520235.tif 000010
2004520235.tif 000011
2004520235.tif 000012
2004520235.tif 000013
2004520235.tif 000014
2004520235.tif 000015
2004520235.tif 000016
2004520235.tif 000017
2004520235.tif 000018
2004520235.tif 000019
2004520235.tif 000020
2004520235.tif 000021
2004520235.tif 000022
2004520235.tif 000023
【手続補正書】
【提出日】平成15年8月14日(2003.8.14)
【手続補正１】
【補正対象書類名】特許請求の範囲
【補正対象項目名】全文
【補正方法】変更
【補正の内容】
【特許請求の範囲】
【請求項１】
商品（２）を、連続して搬送する第１コンベヤ（４）であって、上記商品（２）にヒートシール可能な包装材である各シート（３）を適用し、第１通路（Ｐ１）に沿って商品（２）の周りをヒートシール可能な包装材である各シート（３）で覆って包み（７）を形成すると共に、上記商品（２）を第１通路（Ｐ１）に続いて第２通路（Ｐ２）に搬送するための第１コンベヤ（４）と、上記第２通路（Ｐ２）に沿って包み（７）に適用され、ヒートシールすることにより包み（７）を固定する各シール手段（１０）とを含む商品（２）の商品包装装置（１）であって、
上記第１コンベヤ（４）から独立し、上記第２通路（Ｐ２）に並走する第３通路（Ｐ３）に沿って、商品（２）に調子を合わせて、上記ヒートシール手段（１０）を搬送する第２コンベヤ（１２）を含むことを特徴とした商品包装装置。
【請求項２】
上記第１コンベヤ（４）は、包装材のシート（３）と、関連する商品（２）とを、それぞれ収容する複数の台座（６）を周囲に含み、各台座（６）には、それぞれヒートシール手段（１０）が結合されている請求項１に記載の商品包装装置。
【請求項３】
第１、第２及び第３通路（Ｐ１，Ｐ２，Ｐ３）は、曲がっている通路である請求項１または請求項２に記載の商品包装装置。
【請求項４】
上記第１コンベヤ（４）は、包装ホィール（４）であり、かつ、上記第１、第２及び第３通路（Ｐ１，Ｐ２，Ｐ３）は、ある円の同軸の弧により特定されるものである請求項１乃至請求項３の何れかに記載の商品包装装置。
【請求項５】
上記包み（７）は、筒状の包みである請求項１乃至請求項４の何れかに記載の商品包装装置。
【請求項６】
上記ヒートシール手段（１０）は、複数のヒートシールヘッド（１１）を備える請求項１乃至請求項５の何れかに記載の商品包装装置。
【請求項７】
第２コンベヤ（１２）は、ベルトコンベヤ（１２）であり、上記ヒートシール手段（１０）を支持している循環ベルト（１３）を含み、上記第２ベルトコンベヤ（１２）は、上記第３通路（Ｐ３）に沿って上記ベルト（１３）を搬送するためのガイド手段（１５）を含む請求項１乃至請求項６の何れかに記載の商品包装装置。
【請求項８】
上記ガイド手段（１５）は、第３通路（Ｐ３）と同じ外形を描いた軌道（１９）と、上記ベルト（１３）を上記軌道（１９）に接続する接続手段（２０）とを備える請求項７に記載の商品包装装置。
【請求項９】
上記軌道（１９）は、上記ベルト（１３）の全通路（Ｐ４）に渡ってのびている請求項８に記載の商品包装装置。
【請求項１０】
上記軌道（１９）は、上記ベルト（１３）の両側に位置する２枚の平板（２２）の内側に形成されている溝（２１）により特定される請求項８又は請求項９に記載の商品搬送装置。
【請求項１１】
上記接続手段（２０）は、上記溝（２１）の内側を走り、上記ベルト（１３）に結合された複数の搬送台（２３）を含む請求項１０に記載の商品包装装置。
【請求項１２】
上記搬送台（２３）の各々は、上記ベルト（１３）に連結されたシャフト（２６）と、上記シャフト（２６）に空回りするように取り付けられた２つの端部ホィール（２７）とを含む請求項１１に記載の商品包装装置。
【請求項１３】
上記ベルト（１３）は、ヒートシール手段（１０）が固定されている表面（１４）と、上記シャフト（２６）を支持する付属部品（２４）が突出している内面（２５）とを含む請求項１２に記載の商品包装装置。
【請求項１４】
上記ヒートシールヘッドは、比較的温度変化に影響されず、比較的高い電気抵抗の加熱抵抗器を含む請求項６乃至請求項１３の何れかに記載の商品包装装置。
【請求項１５】
上記加熱抵抗器は、閉回路（４１）を形成するように接続されており、時間変化する磁界を生成する手段（４２）が上記閉回路（４１）に電磁的に接続されている請求項１４に記載の商品包装装置。
【請求項１６】
上記加熱抵抗器の各々は、第３通路（Ｐ３）の実際の長さを調節するため、短絡することができる請求項１４又は請求項１５に記載の商品包装装置。
【請求項１７】
上記ヒートシールヘッド（１１）の各々は、２つの点で上記ベルト（１３）に蝶番式に接続されているフレーム（２８）の各々により上記ベルト（１３）に接続されている請求項６乃至請求項１６の何れかに記載の商品包装装置。
【請求項１８】
上記フレーム（２８）は、上記ベルト（１３）に直接、蝶番式に取り付けられている第１端部と、接続棒（３４）の内側を介してベルト（１３）に接続されている第２端部とを備える請求項１７に記載の商品包装装置。
【請求項１９】
上記ヒートシールヘッド（１１）の各々は、フレーム（２８）に関連して、弾性手段（３５）の反対側の端において動作位置から休止位置へと移動できるように、それぞれのフレーム（２８）に接続されている請求項１７又は請求項１８に記載の商品包装装置。
【請求項２０】
上記ヒートシールヘッド（１１）の各々は、各フレーム（２８）に蝶番式に取り付けられており、上記弾性手段（３５）の反対側の端において上記ヒートシールヘッド（１１）を動作位置から休止位置へと移動するリターン手段（３１）を備える請求項１９に記載の商品包装装置。
【請求項２１】
上記リターン手段（３１）は、上記ヒートシールヘッド（１１）に連結され、第３通路（Ｐ３）に沿ってヒートシールヘッド（１１）を動かす強磁性体の電機子（３７）と、上記第３通路（Ｐ３）に沿って分割された電磁石（４０）とを含む請求項２０に記載の商品包装装置。
【請求項２２】
上記ヒートシールヘッド（１１）の各々は、フレーム（２８）に関連して、弾性手段（３５）の反対側の端において休止位置から動作位置へと移動するように、各フレーム（２８）に接続されている請求項１７又は請求項１８に記載の商品包装装置。
【請求項２３】
上記ヒートシールヘッド（１１）の各々は、各フレーム（２８）に蝶番式に取り付けられており、上記弾性手段（３５）の反対側の端において上記ヒートシールヘッド（１１）を休止位置から動作位置へと移動するリターン手段（３１）を備える請求項２２に記載の商品包装装置。
【請求項２４】
商品（２）に包装材のシート（３）を適用し、包装コンベヤ（４）により第１通路（Ｐ１）に沿って商品（２）と包装材であるシート（３）を搬送し、商品（２）の周りを包装材のシート（３）で覆い、包み（７）を形成し、包装コンベヤ（４）により、第２通路（Ｐ２）に沿って包み（７）を搬送して固定する方法であり、
上記方法は、第２コンベヤ（１２）により、第２通路（Ｐ２）に並走する第３通路（Ｐ３）に沿って、上記商品（２）に調子を合わせて、上記ヒートシール手段（１０）を搬送し、上記ヒートシール手段（１０）を上記包み（７）に適用して固定することを特徴とする商品（２）を包装する方法。
【請求項２５】
上記シール手段（１０）を包み（７）に適用する時間は、第２通路（Ｐ２）に沿う包み（７）の移動速度の変化と共に、第３通路（Ｐ３）の実際の長さの変化毎に、特定の値を保持するものである請求項２４に記載の方法。請求項１、２、６、７、１３、１４、１７、１９、２０、２１に記載のシールヘッド（１１）及びシート手段（１０）を、ヒートシールヘッド（１１）及びヒートシール手段（１０）に補正しました。請求項１については、さらに、第２コンベヤ（１２）が第１コンベヤ（４）から独立したものである限定を加えました。請求項２４を削除し、以降の請求項２５及び請求項２６を繰り上げて請求項２４及び請求項２５としました。
【国際調査報告】
2004520235.tif 000024
2004520235.tif 000025
2004520235.tif 000026